(57)【要約】　　　（修正有）【課題】ＣＤに収録されている無名音楽アーティスト又は楽曲の中から、ユーザの評価が高い無名音楽アーティストを知ることができ、販売枚数が期待できる楽曲のみをシングルカットして、シングルＣＤとして販売することができる記録媒体、利用方法等を提供する。【解決手段】コンピレーションアルバムを収録した記録媒体は、サーバに接続して、インターネット上のメインページに接続するための、リンク情報データと、楽曲データを収録している。コンピレーションアルバムの利用方法は、ユーザの要求に応じて複数のリンクを提供するリンク提供ステップと、ユーザが該ページ上で何らかの動作をすることによって、それを得点データとして蓄積する得点データ蓄積ステップと、得点データと比較するための基準データを受信する基準データ受信ステップと、得点データと基準データを比較して、得点データを選別する選別ステップとにより行う。【選択図】　図１
2004117407.tif 000002
【特許請求の範囲】
【請求項１】
複数の音楽アーティストの楽曲データと、
インターネット等の通信回線を通してサーバにアクセスするためのリンク情報データと、
を含んで構成され、
前記リンク情報データは、前記楽曲データと関連する情報を提供するホームページへのリンク先を含むことを特徴とするコンピレーションアルバムを収録したコンピュータ読み取り可能なデータ記録媒体。
【請求項２】
請求項１に記載のコンピレーションアルバムを収録したコンピュータ読み取り可能なデータ記録媒体において、
前記リンク情報データは、ブラウザ上で前記ホームページのメインページへのリンクとその下階層に位置するページへのリンクを同一画面上に表示できるように構成されたデータ構造を有することを特徴とするコンピレーションアルバムを収録したコンピュータ読み取り可能なデータ記録媒体。
【請求項３】
請求項１又は２に記載のコンピレーションアルバムを収録したコンピュータ読み取り可能なデータ記録媒体において、
前記楽曲データは、音楽データ及び映像データを含んで構成されていることを特徴とするコンピレーションアルバムを収録したコンピュータ読み取り可能なデータ記録媒体。
【請求項４】
請求項１〜３のいずれか１項に記載のコンピレーションアルバムを収録したコンピュータ読み取り可能なデータ記録媒体において、
前記楽曲データは、８人の音楽アーティストの楽曲を各２曲又は１６人の音楽アーティストの楽曲を各１曲、含んで構成されていることを特徴とするコンピレーションアルバムを収録したコンピュータ読み取り可能なデータ記録媒体。
【請求項５】
複数の音楽アーティストの楽曲データとインターネット等の通信回線を通して前記楽曲データと関連する情報を提供するホームページへアクセスするためのリンク情報データとを含むコンピレーションアルバムの前記リンク情報データに基づくユーザからの要求に応じて前記ホームページを提供するサーバが、複数のリンク先を提供するリンク提供ステップと、
前記サーバが提供する前記ホームページ内において前記ユーザが入力した評価及び／又は前記ユーザが当該ホームページ内において行った所定の操作を得点化し、該得点を得点データとして前記サーバに蓄積する得点データ蓄積ステップと、
前記サーバが、所定のデータベースに蓄積されている前記得点データと比較するための過去のデータから得られた基準データを受信して蓄積する基準データ受信ステップと、
前記サーバが、前記得点データと前記基準データを比較することにより前記音楽アーティストを選別する選別ステップと、
を有することを特徴とするコンピレーションアルバムの利用方法。
【請求項６】
請求項５に記載のコンピレーションアルバムの利用方法において、
前記リンク提供ステップは、前記コンピレーションアルバムの種類を認証することにより又は前記ユーザにより直接入力されたＵＲＬによって、前記サーバが前記ユーザに提供するリンク先を決定することを特徴とするコンピレーションアルバムの利用方法。
【請求項７】
請求項５又は６に記載のコンピレーションアルバムの利用方法において、
前記楽曲データと関連する情報を提供する前記ホームページのメインページには、コンピレーションアルバムの製作者のホームページへのリンクと、前記コンピレーションアルバムの製作者のホームページの下階層に位置する少なくとも１つ又はそれ以上のホームページへのリンクも同一画面上に表示して提供され、それにより、ユーザは前記音楽製作者のホームページのメインページに接続しなくても、前記メインページの下階層に位置するページへ直接接続することができるようにされたことを特徴とするコンピレーションアルバムの利用方法。
【請求項８】
請求項５〜７のいずれか１項に記載のコンピレーションアルバムの利用方法において、
前記得点データ蓄積ステップは、コンピレーションアルバムに記録された認証キーを前記サーバが受信して該サーバに予め記録された認証キーとを照合することにより前記リンク先に接続可能とするユーザ認証ステップと、
前記得点データを予め決められた１又は２以上のグループに分けて蓄積する蓄積ステップと、
を有することを特徴とするコンピレーションアルバムの利用方法。
【請求項９】
請求項５〜７のいずれか１項に記載のコンピレーションアルバムの利用方法において、
前記得点データ蓄積ステップは、前記サーバが提供する前記リンクに重みを付けて得点を割当てる重み付けステップと、
前記ユーザにより所定のリンクが選択された場合に、前記サーバが予め当該リンクに割当てられた得点を１又は２以上のグループに分けて蓄積する蓄積ステップと、
を有することを特徴とするコンピレーションアルバムの利用方法。
【請求項１０】
請求項９記載のコンピレーションアルバムの利用方法において、
前記重み付けステップは、前記サーバが提供するリンクの種類により、予め各リンクに割当てられた重みを加味して得点化することを特徴とすることを特徴とするコンピレーションアルバムの利用方法。
【請求項１１】
請求項５〜１０のいずれか１項に記載のコンピレーションアルバムの利用方法において、
前記リンクには、コンピレーションアルバムに収録されている楽曲をさらに編曲した楽曲や、前記楽曲データの完成過程で製作された楽曲や、前記楽曲データの詩と曲とが分離された状態の楽曲を視聴し及び／又はそのデータをダウンロードすることができるリンクと、
コンピレーションアルバムに収録された楽曲以外の前記音楽アーティストの楽曲を視聴し及び／又はそのデータをダウンロードすることができるリンクと、
コンピレーションアルバムの製作者又は前記音楽アーティストに関する情報を視聴することができるリンクと、
を含んでいることを特徴とするコンピレーションアルバムの利用方法。
【請求項１２】
請求項５〜１１のいずれか１項に記載のコンピレーションアルバムの利用方法において、
前記基準データは、前記サーバに直接入力されることにより蓄積されることを特徴とするコンピレーションアルバムの利用方法。
【請求項１３】
請求項５〜１２のいずれか１項に記載のコンピレーションアルバムの利用方法において、
前記選別ステップは、予め定められたグループに分けて蓄積されている前記得点データと、その分けられた前記グループに対応する前記基準データを取り出して比較し、当該基準データに対して所定の得点データを獲得した楽曲のみを選別することを特徴とするコンピレーションアルバムの利用方法。
【請求項１４】
インターネット等の通信回線を通して複数の音楽アーティストの楽曲データと前記楽曲データと関連する情報を提供するホームページへアクセスするためのリンク情報データとを含むコンピレーションアルバムの当該リンク情報データに基づいたユーザ側端末からの要求により接続可能なサーバを含み、
前記サーバは、前記ユーザ側端末による当該サーバへの接続の基礎とされたコンピレーションアルバムと関連付けられたリンクを記憶したリンクデータベースと、
前記リンクデータに対応するホームページ内において前記ユーザが入力した評価及び／又は前記ユーザが当該ホームページ内において行った所定の操作を得点化し、該得点を得点データとして前記サーバに蓄積する得点データベースと、
前記サーバに入力された過去のデータから得られた基準データを１又は複数のグループに分けて保存及び蓄積した基準データベースと、
前記得点データと前記基準データを比較することにより前記楽曲を選別するデータ選別手段と、
を備えてなることを特徴とするコンピレーションアルバムの利用システム。
【請求項１５】
請求項１４記載のコンピレーションアルバムの利用システムにおいて、
前記サーバは、
前記ユーザ側端末からの要求を受信する受信手段と、
前記ユーザ側端末からの要求に基づいて当該サーバが提供する前記ホームページを表示させる送信手段と、
前記ホームページ内において前記ユーザ側端末から入力された評価及び／又は前記ユーザ側端末から行われた当該ホームページ内における所定の操作を得点化し、該得点を得点データに変換するための得点データ変換手段と、
前記基準データを受信及び／又は外部入力装置から直接入力するための基準データ入力手段と、
選別された前記得点データを出力する得点データ出力手段と、
を備えてなることを特徴とするコンピレーションアルバムの利用システム。
【請求項１６】
請求項１４又は１５に記載のコンピレーションアルバムの利用システムにおいて、
前記リンクデータベースは、楽曲データと関連する情報を提供する前記ホームページのメインページへ接続するための上位リンクデータを格納した上位リンクフォルダと、前記メインページの下階層に位置するページへリンクするための下位リンクデータを格納した下位リンクフォルダと、
を含むことを特徴とするコンピレーションアルバムの利用システム。
【請求項１７】
請求項１４〜１６のいずれか１項に記載のコンピレーションアルバムの利用システムにおいて、
前記得点データベースは、前記ホームページ内において前記ユーザが入力した評価及び／又は前記ユーザが当該ホームページ内において行った所定の操作を得点化し、該得点を得点データとして前記サーバに蓄積することにより形成されていることを特徴とするコンピレーションアルバムの利用システム。
【請求項１８】
請求項１４〜１７のいずれか１項に記載のコンピレーションアルバムの利用システムにおいて、
前記データ選別手段は、予め定められたグループに分けて蓄積されている前記得点データと、その分けられた前記グループに対応する前記基準データを取り出して比較し、当該基準データに対して所定の得点データを獲得した楽曲のみを選別することを特徴とするコンピレーションアルバムの利用システム。
【請求項１９】
請求項１４〜１８のいずれか１項に記載のコンピレーションアルバムの利用システムにおいて、
前記ユーザ側端末からの要求は、少なくとも前記ユーザを特定するための認証キーデータと、前記リンク情報データを含んでなることを特徴とするコンピレーションアルバムの利用システム。
【請求項２０】
請求項１５〜１９のいずれか１項に記載のコンピレーションアルバムの利用システムにおいて、
前記受信手段は、前記サーバが前記要求を受信する受信装置と、
前記ユーザが接続する権利を所有する真正な権利者であることを認証するためのユーザ認証手段と、
を備えてなることを特徴とするコンピレーションアルバムの利用システム。
【請求項２１】
請求項１５〜２０のいずれか１項に記載のコンピレーションアルバムの利用システムにおいて、
前記得点データ変換手段は、前記ユーザ側端末からの要求に対応する前記リンクデータに予め決められた重みを割当てて得点化することを特徴とするコンピレーションアルバムの利用システム。
【請求項２２】
請求項１５〜２１のいずれか１項に記載のコンピレーションアルバムの利用システムにおいて、
前記基準データ入力手段は、インターネット等の通信回線を通して接続されている外部データベースから一定時間毎に又は指定時期に前記基準データを受信し及び／又は外部入力装置を用いて直接基準データを入力するものであることを特徴とするコンピレーションアルバムの利用システム。
【発明の詳細な説明】
【０００１】
【発明の属する技術分野】
本発明は、音楽業界でメジャーデビューしていない、無名音楽アーティストがメジャーデビューするためのコンピレーションアルバムを収録したコンピュータ読み取り可能な記録媒体、その無名音楽アーティストをメジャーでビューさせるためのコンピレーションアルバムの利用方法及び利用システムに関する。
【０００２】
【従来の技術】
従来、音楽業界でメジャーデビューしていない、略無名に近い音楽アーティストが自力でメジャーデビューをすることは非常に困難であり、ごく稀にできたとしても、その道のりは極めて厳しく、地道に楽曲提供活動と楽曲販売活動を長く継続することによって、初めて成し遂げられるものであった。
しかし、現実には、以下の（１）〜（３）に掲げる問題を解決しなくてはならず、地道な楽曲提供活動をしても陽の目をみるアーティストは稀である。
（１）アーティストが自力で、ユーザ（聴取者）が好む楽曲を製作するためには、作詞、作曲、歌唱力の全てが兼ね揃っていることが必須の条件であり、どれか１つの能力が不足していてもユーザに受け入れられない。
（２）楽曲を提供するためのＣＤ、レコード、テープ、その他データ記録メディア（以後ＣＤ等とする）を製作するためには、少なく見積もっても数百万円の費用が掛かり、その費用の捻出が困難である。
（３）仮にアーティストが自力でＣＤ等を製作することができたとしても、ＣＤ等の販売店の多くが楽曲製作会社と販売契約を結んでおり、音楽製作会社と何らタイアップが無い無名アーティストのＣＤ等が店頭に並べられることは、ほとんど無い。
そこで、そのような無名アーティストの音楽活動を製作及び販売並びに活動費用の面で支援するための方法やインターネットを利用した販売システムが考えられている。
特開２００１−２６５９９５号もその１つである（特許文献１参照。）。これは、従来、担当者がライブ会場等へ直接に足を運んで、才能のある新人アーティストを探し出すことの労力が多大であることと、該担当者がユーザの好むアーティストの動向を適切に得ることの困難性に鑑みなされたもので、複数のアーティスト情報をインターネット上で運用する運用会社に登録し、登録したアーティスト情報を運用会社と連絡可能に接続された一般利用者に配信し、該アーティストを支援するものである。
同様に、特開２００１−２２６７０号もその１つである（特許文献２参照。）。これは、一般に、視聴者ないし聴取者の層（年齢、性別等）と、楽曲をプロモーションをするために、タイアップしたＴＶやＦＭ放送の層とが相違する場合に、購買層を増やすことが困難であることに鑑みなされたもので、出聴取者の試聴により楽曲に関する指標を得ることができる音楽配信サーバの提供と、そのプロモーション活動に際して、適切に資本を投下するための指標及び戦略を与えることができるプロモーション戦略策定システムを提供するものである。
また、無名アーティストの楽曲製作やプロモーションを支援すると共に、アーティストが活動資金を収集する支援をする方法やインターネットを利用したシステムも考えられている。
特開２００１−３２５４７１号はその１つである（特許文献３参照。）。従来、アマチュアのアーティストに関しては、支援してくれる企業や資金提供家が存在せず、また、過去に製作、実演等した時の収入金等も無いか、或いはあっても非常に少ないため、その活動資金を集めるのが困難であることに鑑みなされたもので、才能あるアーティストによる活動資金の収集を支援するのに好適なアーティスト支援方法等を提供するものである。
さらに、特開２００１−３５７２３２号もその１つである（特許文献４参照。）。これは、偶然、一般の視聴者や鑑賞者の目にとまり、無名アーティストやその作品を支持、愛好するようになっても、該無名アーティストの活動を資金面で援助していくことは困難で、仮に援助する場合には、当該アーティストが成功した場合等に当該アーティストへのそれまでの投資に対してある種の配当を期待できるようなサービスが望まれていたことに鑑みなされたもので、視聴者等に、自己の支持、愛好する無名アーティストの活動を支援する機会を与えると共に、当該無名アーティストには、自立して活動できるようになるまで、大手スポンサー等の手によらずとも支援金を受けながら創作活動を行い得る環境を提供し得るアーティスト支援仲介システムを提供すると共に、該アーティストへの投資に対するある種の配当をも期待できる仕組みを提供し得るアーティスト支援仲介システムを提供するものである。
【０００３】
【特許文献１】
特開２００１−２６５９９５号　（第２項、第１図）
【特許文献２】
特開２００１−２２６７０号　（第２、３項、第１、２図）
【特許文献３】
特開２００１−３２５４７１号　（第２〜４項、第１〜４図）
【特許文献４】
特開２００１−３５７２３２号　（第２項、第１〜３図）
【０００４】
【発明が解決しようとする課題】
しかし、特許文献１記載の発明は、芸能事務所等の音楽提供者が一般利用者の動向を得て、効率的に新人アーティストを発掘するためのシステムを提供するものであり、新人アーティストは自分で楽曲を作り、その楽曲を運営会社に登録することによって、運用会社がそのシステムの一般利用者に配信し、該利用者の反応を見て、反応が良い場合には該アーティストを支援するというものなので、まず、新人アーティストは一般利用者の趣向に沿う楽曲を製作しなくてはならず、その後芸能事務所等の担当者の目にとまった後、始めてデビューＣＤ等を作成するか否かの話し合いになるが、これは本願で課題とする前記（１）〜（３）を問題として提起しているものではなく、特許文献１記載の発明ではその解決も図ることはできない。
次に、特許文献２記載の発明においても、まず、アーティストは一般視聴者の趣向に沿う楽曲を製作して音楽配信サーバに登録し、該サーバから一般視聴者に配信してもらい、良好な指標を得た場合にのみ、プロモーションの機会を得ると共に資金支援を得ることができるものであるが、これは、本願発明の課題とその課題を異にしており、その課題解決手段では、当然に本願課題である前記（１）〜（３）を解決することはできない。
また、特許文献３記載の発明は、アマチュアのアーティストが自分で製作した楽曲を自主制作するための資金のやアーティストとしての活動資金を収集するための方法等であり、自己で一般視聴者の趣向に沿った楽曲を製作しなくてはならず、また、仮にそのような楽曲ができたとしても、配当を期待する一般視聴者から資金提供の申し込みをまって、その後の活動をしていかなければならず、資金援助の申し込みがあったとしても必ずしもメジャーデビューできるものではなく、その機会は依然として少ないものであり、つまりは本願で課題としている前記（１）〜（３）の問題の解決を図ることはできない。
最後に、特許文献４記載の発明は、視聴者に自己の支持、愛好する無名アーティストに資金援助し、該無名アーティストの活動を支援する機会を与えると共に、大手スポンサーによらずとも、当該無名アーティストは、自立して活動でき、仮にアーティストが成功した場合には資金援助した視聴者にはある種の配当が得られるというものであるが、これも、まずアーティストが視聴者の趣向に沿う楽曲を自ら製作しなければならず、仮に資金援助が得られたとしても、メジャーデビューできるかどうかは、分からないという問題があり、本願で課題としている（１）〜（３）の問題の解決は図れない。
【０００５】
そこで、本発明は、かかる問題点に鑑みなされたもので、未だ、音楽業界でメジャーデビューしていない無名音楽アーティストに楽曲を提供し、そのように楽曲を提供した無名音楽アーティスト複数人分の楽曲を１枚のＣＤアルバムの中に収録し、すなわち、従来コンピレーションアルバムとして知られている方法により販売することで、音楽製作者側のリスクを少なくすると共に、従来ほとんど不可能であった、無名音楽アーティストに直接ＣＤデビューの機会を与えるための、コンピレーションアルバムを収録した記録媒体を提供することを目的とする。
また、そのコンピレーションアルバムを利用した利用システムを提供すること目的とする。さらに、コンピレーションアルバムを利用した利用方法を提供することを目的とする。
【０００６】
【課題を解決するための手段】
上記課題を解決するために請求項１に記載の発明は、複数の音楽アーティストの楽曲データと、インターネット等の通信回線を通してサーバにアクセスするためのリンク情報データとを含んで構成され、リンク情報データは、楽曲データと関連する情報を提供するホームページへのリンク先を含むことを特徴とするコンピレーションアルバムを収録したコンピュータ読み取り可能なデータ記録媒体を提供する。
【０００７】
上記課題を解決するために請求項２記載の発明は、請求項１に記載のコンピレーションアルバムを収録したコンピュータ読み取り可能なデータ記録媒体において、リンク情報データは、ブラウザ上でホームページのメインページへのリンクとその下階層に位置するページへのリンクを同一画面上に表示できるように構成されたデータ構造を有することを特徴とする。
【０００８】
上記課題を解決するために請求項３記載の発明は、請求項１又は２に記載のコンピレーションアルバムを収録したコンピュータ読み取り可能なデータ記録媒体において、楽曲データは、音楽データ及び映像データを含んで構成されていることを特徴とする。
【０００９】
上記課題を解決するために請求項４記載の発明は、請求項１〜３のいずれか１項に記載のコンピレーションアルバムを収録したコンピュータ読み取り可能なデータ記録媒体において、楽曲データは、８人の音楽アーティストの楽曲を各２曲又は１６人の音楽アーティストの楽曲を各１曲、含んで構成されていることを特徴とする。
【００１０】
上記課題を解決するために請求項５記載の発明は、複数の音楽アーティストの楽曲データとインターネット等の通信回線を通して前記楽曲データと関連する情報を提供するホームページへアクセスするためのリンク情報データとを含むコンピレーションアルバムのリンク情報データに基づくユーザからの要求に応じてホームページを提供するサーバが、複数のリンク先を提供するリンク提供ステップと、サーバが提供するホームページ内においてユーザが入力した評価及び／又はユーザが当該ホームページ内において行った所定の操作を得点化し、該得点を得点データとしてサーバに蓄積する得点データ蓄積ステップと、サーバが、所定のデータベースに蓄積されている得点データと比較するための過去のデータから得られた基準データを受信して蓄積する基準データ受信ステップと、サーバが、得点データと基準データを比較することにより音楽アーティストを選別する選別ステップとを有することを特徴とするコンピレーションアルバムの利用方法を提供する。
【００１１】
上記課題を解決するために請求項６記載の発明は、請求項５に記載のコンピレーションアルバムの利用方法において、リンク提供ステップは、コンピレーションアルバムの種類を認証することにより又はユーザにより直接入力されたＵＲＬによって、サーバがユーザに提供するリンク先を決定することを特徴とする。
【００１２】
上記課題を解決するために請求項７記載の発明は、請求項５又は６に記載のコンピレーションアルバムの利用方法において、楽曲データと関連する情報を提供するホームページのメインページには、コンピレーションアルバムの製作者のホームページへのリンクと、コンピレーションアルバムの製作者のホームページの下階層に位置する少なくとも１つ又はそれ以上のホームページへのリンクも同一画面上に表示して提供され、それにより、ユーザは音楽製作者のホームページのメインページに接続しなくても、メインページの下階層に位置するページへ直接接続することができるようにされたことを特徴とする。
【００１３】
上記課題を解決するために請求項８記載の発明は、請求項５〜７のいずれか１項に記載のコンピレーションアルバムの利用方法において、得点データ蓄積ステップは、コンピレーションアルバムに記録された認証キーをサーバが受信して該サーバに予め記録された認証キーとを照合することによりリンク先に接続可能とするユーザ認証ステップと、得点データを予め決められた１又は２以上のグループに分けて蓄積する蓄積ステップとを有することを特徴とする。
【００１４】
上記課題を解決するために請求項９記載の発明は、請求項５〜７のいずれか１項に記載のコンピレーションアルバムの利用方法において、得点データ蓄積ステップは、サーバが提供するリンクに重みを付けて得点を割当てる重み付けステップと、ユーザにより所定のリンクが選択された場合に、サーバが予め当該リンクに割当てられた得点を１又は２以上のグループに分けて蓄積する蓄積ステップとを有することを特徴とする。
【００１５】
上記課題を解決するために請求項１０記載の発明は、請求項９記載のコンピレーションアルバムの利用方法において、重み付けステップは、サーバが提供するリンクの種類により、予め各リンクに割当てられた重みを加味して得点化することを特徴とすることを特徴とする。
【００１６】
上記課題を解決するために請求項１１記載の発明は、請求項５〜１０のいずれか１項に記載のコンピレーションアルバムの利用方法において、リンクには、コンピレーションアルバムに収録されている楽曲をさらに編曲した楽曲や、楽曲データの完成過程で製作された楽曲や、楽曲データの詩と曲とが分離された状態の楽曲を視聴し及び／又はそのデータをダウンロードすることができるリンクと、コンピレーションアルバムに収録された楽曲以外の音楽アーティストの楽曲を視聴し及び／又はそのデータをダウンロードすることができるリンクと、コンピレーションアルバムの製作者又は音楽アーティストに関する情報を視聴することができるリンクとを含んでいることを特徴とする。
【００１７】
上記課題を解決するために請求項１２記載の発明は、請求項５〜１１のいずれか１項に記載のコンピレーションアルバムの利用方法において、基準データは、サーバに直接入力されることにより蓄積されることを特徴とする。
【００１８】
上記課題を解決するために請求項１３記載の発明は、請求項５〜１２のいずれか１項に記載のコンピレーションアルバムの利用方法において、選別ステップは、予め定められたグループに分けて蓄積されている得点データと、その分けられたグループに対応する基準データを取り出して比較し、当該基準データに対して所定の得点データを獲得した楽曲のみを選別することを特徴とする。
【００１９】
上記課題を解決するために請求項１４記載の発明は、インターネット等の通信回線を通して複数の音楽アーティストの楽曲データと楽曲データと関連する情報を提供するホームページへアクセスするためのリンク情報データとを含むコンピレーションアルバムの当該リンク情報データに基づいたユーザ側端末からの要求により接続可能なサーバを含み、サーバは、ユーザ側端末による当該サーバへの接続の基礎とされたコンピレーションアルバムと関連付けられたリンクを記憶したリンクデータベースと、リンクデータに対応するホームページ内においてユーザが入力した評価及び／又はユーザが当該ホームページ内において行った所定の操作を得点化し、該得点を得点データとしてサーバに蓄積する得点データベースと、サーバに入力された過去のデータから得られた基準データを１又は複数のグループに分けて保存及び蓄積した基準データベースと、得点データと基準データを比較することにより楽曲を選別するデータ選別手段とを備えてなることを特徴とするコンピレーションアルバムの利用システムを提供する。
【００２０】
上記課題を解決するために請求項１５記載の発明は、請求項１４記載のコンピレーションアルバムの利用システムにおいて、サーバは、ユーザ側端末からの要求を受信する受信手段と、ユーザ側端末からの要求に基づいて当該サーバが提供するホームページを表示させる送信手段と、ホームページ内においてユーザ側端末から入力された評価及び／又はユーザ側端末から行われた当該ホームページ内における所定の操作を得点化し、該得点を得点データに変換するための得点データ変換手段と、基準データを受信及び／又は外部入力装置から直接入力するための基準データ入力手段と、選別された得点データを出力する得点データ出力手段とを備えてなることを特徴とする。
【００２１】
上記課題を解決するために請求項１６記載の発明は、請求項１４又は１５に記載のコンピレーションアルバムの利用システムにおいて、リンクデータベースは、楽曲データと関連する情報を提供するホームページのメインページへ接続するための上位リンクデータを格納した上位リンクフォルダと、メインページの下階層に位置するページへリンクするための下位リンクデータを格納した下位リンクフォルダとを含むことを特徴とする。
【００２２】
上記課題を解決するために請求項１７記載の発明は、請求項１４〜１６のいずれか１項に記載のコンピレーションアルバムの利用システムにおいて、得点データベースは、ホームページ内においてユーザが入力した評価及び／又はユーザが当該ホームページ内において行った所定の操作を得点化し、該得点を得点データとしてサーバに蓄積することにより形成されていることを特徴とする。
【００２３】
上記課題を解決するために請求項１８記載の発明は、請求項１４〜１７のいずれか１項に記載のコンピレーションアルバムの利用システムにおいて、データ選別手段は、予め定められたグループに分けて蓄積されている得点データと、その分けられたグループに対応する基準データを取り出して比較し、当該基準データに対して所定の得点データを獲得した楽曲のみを選別することを特徴とする。
【００２４】
上記課題を解決するために請求項１９記載の発明は、請求項１４〜１８のいずれか１項に記載のコンピレーションアルバムの利用システムにおいて、ユーザ側端末からの要求は、少なくともユーザを特定するための認証キーデータと、リンク情報データを含んでなることを特徴とする。
【００２５】
上記課題を解決するために請求項２０記載の発明は、請求項１５〜１９のいずれか１項に記載のコンピレーションアルバムの利用システムにおいて、受信手段は、サーバが要求を受信する受信装置と、ユーザが接続する権利を所有する真正な権利者であることを認証するためのユーザ認証手段とを備えてなることを特徴とする。
【００２６】
上記課題を解決するために請求項２１記載の発明は、請求項１５〜２０のいずれか１項に記載のコンピレーションアルバムの利用システムにおいて、得点データ変換手段は、ユーザ側端末からの要求に対応するリンクデータに予め決められた重みを割当てて得点化することを特徴とする。
【００２７】
上記課題を解決するために請求項２２記載の発明は、請求項１５〜２１のいずれか１項に記載のコンピレーションアルバムの利用システムにおいて、基準データ入力手段は、インターネット等の通信回線を通して接続されている外部データベースから一定時間毎に又は指定時期に基準データを受信し及び／又は外部入力装置を用いて直接基準データを入力するものであることを特徴とする。
【００２８】
【発明の実施の形態】
以下、本発明に係るコンピレーションアルバムを収録したコンピュータ読み取り可能な記録媒体、利用方法及び利用システムを実施の形態及び図面に基づいて、さらに詳しく説明する。
始めに、本願発明の概略は、以下のものである。
（１）　まず、まったくの無名音楽アーティストに楽曲を提供し、２人以上の該音楽アーティストの楽曲を収録したコンピレーションアルバムを製作し、ＣＤ等販売店で販売すると共に、ＴＶやＦＭ放送又は有線放送（以下ＦＭ放送等とする）でアルバムに収録されている楽曲を流し、視聴者であるユーザが気に入ったらいつでも手に入る環境にしておく。
（２）　ユーザが、そのＦＭ放送等を聞いて、コンピレーションアルバムである該ＣＤを購入し、ユーザが通常使用しているコンピュータ（以下ユーザ側端末とする）にＣＤを挿入して、収録されている楽曲を聴く。
（３）　該ＣＤをユーザ側端末に挿入すると、まず、音楽製作者のメインとなるホームページへのリンクと、通常、該ホームページの下層に張られている収録されている音楽アーティストの情報ページへのリンクと、さらにその下層に張られたリンクの表示が同一画面上に表示されるので、その中で、該ユーザが気に入った音楽アーティストの情報へ直接接続することができる。
（４）　該ユーザが気に入った音楽アーティストの情報ページには、▲１▼該アーティストのそのコンピレーションアルバムには収録されていない別の楽曲（当然、該コンピレーションアルバムが該アーティストにとっては、初デビュー作品なので外では手に入らない）、▲２▼該収録された楽曲と同一であるが、編曲された楽曲、又は収録楽曲が完成するまでに、いくつかのバージョンを製作し、収録する楽曲の選択に悩んだ結果、選択から漏れたバージョン、▲３▼収録されている楽曲の詩と音楽を分離したもの、▲４▼該音楽アーティストの収録楽曲以外の楽曲に映像が付加された、いわゆるビデオ映像付楽曲、▲５▼その他の該アーティストの情報、等が掲載されそれぞれリンクが張られている。特に▲１▼〜▲４▼までは、視聴だけでなく、気に入った場合にはユーザ側端末に有償又は無償でダウンロードすることもできる。
（５）　該ユーザが前記▲１▼〜▲５▼までのリンクを使って接続すると、楽曲提供者が管理・運営するサーバに接続され、例えば▲１▼〜▲４▼であれば、楽曲を視聴することができ、さらにダウンロードすることも可能である。楽曲をインターネットを通してユーザ側端末にダウンロードした場合又はそのページ内にあるアーティストのアンケート調査を入力した場合には、その情報がサーバに保存及び蓄積され、該アーティストの得点としての評価が得られる。
（６）　該サーバはサーバ内にある過去にヒットした楽曲であって、該評価の対象となっている収録された楽曲とジャンルや聴かれる年齢層が近い楽曲のホームページへの接続件数やダウンロードされた件数又は一定期間内の初回売り上げ枚数等をデータとしてあるデータベースを有しており、該評価得点と該データベースにあるデータとを比較して、過去にヒットした楽曲のデータと同じかそれ以上の評価が得られたものを選び出し、該楽曲のみを音楽製作者に提供する。
（７）　該音楽製作者は、その結果から、間違いなく一定枚数以上の販売が見込まれる収録楽曲をシングルカットしてシングルＣＤとして販売する。
（８）　そのようにして売り出されたシングルＣＤは、過去の実績から当然に一定枚数以上の販売が期待できるので、音楽製作者側としてはコンピレーションアルバムとして、多数の無名音楽アーティストの楽曲を収録することで、従来の賭け的要素が減少し、かつコンピレーションアルバムを利用することによって、ユーザの予備的な評価が得られるので、従来のようなリスクを負わずにヒットに繋がる無名音楽アーティストの楽曲をシングルＣＤとして販売することができる。無名音楽アーティストにとっても、才能ある作詞家・作曲家の楽曲を提供してもらい、かつ通常ではほとんど皆無といっていい、デビュー前に自己の楽曲がＣＤに収録され、販売店で販売されるという機会が得られる。
以上のように、従来、無名音楽アーティストのＣＤデビューの機会はほとんど皆無であったが、本発明によれば、無名音楽アーティストにとっては、従来とは比較にならないほど多くのＣＤデビューの機会が与えられ、その裏づけとして、本システムに基づく方法を利用することによって、音楽製作者側は、ＣＤ製作のリスクを少なくすることができ、従来と略変わらない費用で多くの無名音楽アーティストをユーザに提供することができる。
【００２９】
図１は、本発明に係るコンピレーションアルバムの利用方法のフローチャートである。
まず、ホストコンピュータを有するサーバが、コンピレーションアルバムを購入したユーザがユーザ側端末に、そのコンピレーションアルバムを挿入することによって、コンピレーションアルバムに記録されたリンク情報データに基づくユーザからの要求に応じて、ホームページを提供するリンク提供ステップＳ１０１と、前記ユーザがホームページ内において、音楽アーティスト又は楽曲の評価をし、その評価を得点データとして保存及び蓄積する、得点データ蓄積ステップＳ２０１と、過去のヒット楽曲を含むアルバムの情報がインターネット上のホームページに掲載されている場合に、そのページへのアクセス回数や、一定期間内の該ヒットアルバムの売り上げ数を基準データとして、その基準データを所定のデータベース内に蓄積し、そのデータベースから、基準データを受信する又はその基準データを当該サーバに直接入力する基準データ受信ステップＳ３０１と、当該得点データと当該基準データを比較して、基準データに対して、ある一定の割合以上の得点データが得られた場合に、その得点データを有する楽曲を選別する選別ステップＳ４０１と、を含んで構成されている。
図２に示すように、リンク提供ステップＳ１０１は、ユーザが購入したコンピレーションアルバムをユーザ側端末に挿入して、サーバに接続することによって、前記サーバが要求を受信する検索要求送信ステップＳ１１０と、前記サーバが、そのコンピレーションアルバムの種類と関連付けて保存されたホームページへのリンクをリンクデータベースの中から検索する、リンクデータ決定ステップＳ１１１と、を含んで構成されている。
図３に示すように、得点データ蓄積ステップＳ２０１は、コンピレーションアルバムを用いて接続したユーザの認証キーを確認し、サーバに蓄積されている認証キーと照合をするユーザ認証ステップＳ２１０と、前記ユーザがホームページ上で楽曲やアーティストに関する情報を見る操作をしたり、ホームページ上で楽曲やアーティストの評価をすることで、サーバがそれを得点化し、得点データとして、データベース内に、ジャンル別や、アーティスト別等のいくつかのグループに分けて蓄積する、蓄積ステップＳ２１１と、を含んで構成されている。
基準データ受信ステップＳ３０１は、サーバが過去にヒットした楽曲を含むアルバムの情報を提供しているインターネット上のホームページへの接続件数や、その過去にヒットした楽曲が一定期間内に売れた枚数のデータが、基準データとして蓄積されているデータベースから、得点データと比較する基準データを受信して、ジャンル別又はアーティスト別のグループに分類して記録するステップである。
選別ステップＳ４０１は、基準データを分類したグループと得点データを分類したグループの中から、サーバが比較するグループを抜き出し、前記グループの得点データとそれに対応する基準データを比較して、基準データに対して値が同一かそれを超えた得点データを有する楽曲やアーティストを選別するステップである。
【００３０】
図４は、他の実施形態の得点データ蓄積ステップＳ２０１のフローチャートを示したものである。
得点データ蓄積ステップＳ２０２は、ユーザが接続したリンクに、その情報を見るためのリンクやデータをダウンロードするためのリンク等に予めサーバが重みを割当てて、例えば情報を見たら１点、楽曲データダウンロードしたら５０点等をリンクを使用することで得点を得る重み付けステップＳ２２０と、前記得点を得点データとして、データベース内に、楽曲のジャンル別やアーティスト別等のいくつかのグループに分けて蓄積する、蓄積ステップＳ２１１と、を含んで構成されている。
以上により、音楽製作者は、過去のヒット楽曲のデータに基づいてユーザの評価の高い音楽アーティスト及びその楽曲を得ることができ、それをシングルカットしてシングルＣＤを販売することによって、過去の実績に基づき、一定数以上の販売ができるとともに、音楽アーティストにとっても、従来と比べ大幅にＣＤデビューの機会が得られる。
【００３１】
図５は本発明に係るコンピレーションアルバムの利用システムの一実施例を表す全体構成図である。音楽製作者が管理・運営するホストコンピュータを有するサーバ１０には、ＣＤを購入したユーザ２１０が使用するユーザ側端末２００及び音楽製作者３１０が使用する音楽製作者側端末３００がインターネット等の電気通信回線４００を通して双方向の接続が可能とされている。
図５に示すように、まず、ユーザ２１０が購入してきたコンピレーションアルバム２０をユーザ側端末２００に挿入すると、ユーザ２１０が購入したコンピレーションアルバム２０の種類によって、ブラウザが起動し、その中に記録されているメインページへのリンクと、その下層ページへの複数のリンクが同一画面上に表示され、サーバ１０へ接続可能な状態となる。
（サーバ）
図６に示すように、サーバ１０は、さらに、ホストコンピュータ１００と、リンクデータベース１２０と、得点データベース１４０と、基準データベース１６０と、データ選別手段１８０と、を備えて構成されている。
（ホストコンピュータ）
図７に示すように、ホストコンピュータ１００は、さらに、受信手段１０２と、送信手段１０４と、得点データ変換手段１０６と、基準データ入力手段１１０と、得点データ出力手段１１２と、を備えて構成されている。
ユーザ２００は、画面上のブラウザを見て、自分の欲しい情報がありそうなページのリンクボタンをクリックする。すると、電気通信回線４００を介して、検索要求２２０がユーザ側端末２００からサーバ１０内のホストコンピュータ１００へ送信される。
（検索要求）
検索要求２２０は、さらに、ユーザ２２０が接続する正当な権利がある権利者であることを認証するための認証キーデータ２２２と、ユーザが接続するホームページへのリンクするためのデータを受取るためのリンク情報２２４を含んで構成されている。
（受信手段）
図８に示すように、受信手段１０２は、ユーザ認証手段１０２ａを備えて構成されており、ユーザ認証手段１０２ａには認証キー１０２ｂが記録保存されている。
ユーザ認証手段１０２ａは、認証キー１０２ｂと認証キーデータ２２２を比較照合して、照合の結果、合致した検索要求２２０のリンク情報２２４のみを、リンクデータベース１２０へ送信する。
（リンクデータベース）
図９に示すように、リンクデータベース１２０は、上記リンク情報に関連付けられた、ポインタフォルダ１２２と、リンクデータフォルダ１２４と、得点データフォルダ１２６を含んで構成され、得点データフォルダ１２６は、得点データ１２６ａが記録されている。
リンクデータベース１２０は、上記リンク情報２２４を受取り、ポインタフォルダ１２２の中からそれに対応するポインタ１２２ａを検索し、さらに、リンクデータフォルダ１２４の中からそれに関連付けられているリンクデータ１２４ａを呼び出し、ユーザが接続可能となる。
（得点データ変換手段）
次に、得点データ変換手段１０６について説明する。
得点データ変換手段１０６は、音楽製作者３１０がリンクの重要度に対応した重みを各リンクに設定すると、得点データ変換手段１０６は、その重みの割合に応じて得点化した得点データ１２６ａを作成し、リンクデータベース１２０の得点データフォルダ１２６に送信する。
得点データ１２６ａの作成方法は本方法に限らず、例えば、ユーザ２１０が操作しているブラウザのページ上で音楽アーティスト又は楽曲評価リンクを作成し、そこで、ユーザ２１０が評価した点数又は評価項目によって、それを得点化して得点データ１２６ａを作成しても良い。
（得点データベース）
図１０に示すように、得点データベース１４０は、アーティストフォルダ１４２と、楽曲フォルダ１４４と、ジャンルフォルダ１４６と、得点フォルダ１４８を備えて構成されている。
【００３２】
さらに、アーティストフォルダ１４２には、ユーザ２１０が興味を持ち、アーティストのホームページに接続した場合、接続した音楽アーティストのアーティストデータ１４２ａが記録され、楽曲フォルダ１４４には、該アーティストフォルダに記録されているアーティストデータ１４２ａに対応する、楽曲データ１４４ａが記録され、ジャンルフォルダ１４６には、アーティストフォルダ１４２と、楽曲フォルダ１４４と、が該音楽アーティストの音楽業界の見地から分けた複数のジャンルに分類して記録され、得点フォルダ１４８は、アーティストフォルダ１４２、楽曲フォルダ１４４、ジャンルフォルダ１４６にそれぞれ関連付けられて構成されており、得点データ１２６ａが得られる毎に、対応するする得点フォルダ１４８に得点データ１２６ａを得点１４８ａとして記録及び蓄積される。
（基準データベース）
次に、図１１に示すように、基準データベース１６０は、過去にヒットした楽曲が収録されているアルバムがあった場合に、その楽曲又はアルバム情報が登録されているサーバへの接続件数等を、基準データ入力手段１１０より受信して基準データ１６２ａとして保存する。
基準データベース１６０は、ジャンルフォルダ１６２と、アーティストフォルダ１６３と、得点フォルダ１６４と、を含んで構成されており、ジャンルフォルダ１６２には、該音楽アーティストの音楽業界の見地から分けた複数のジャンルに分類して、記録された基本データ１６２ａが記録されており、アーティストフォルダにはアーティストごとの得点データ１６３ａが記録されており、得点フォルダ１６４には、ジャンルに分けられた基本データ１６２ａに応じて得点データ１６４ａが記録される。
基準データ１６２ａの取込み方法は本願では、外部のデータベースから電気通信回線を通して受信する方法をとったが、本方法に限らず、ホストコンピュータ１００から直接に入力しても良い。
（演算手段）
前記得点データベースのアーティストフォルダ１４２のジャンルに対応する得点フォルダ１４８記録されている得点データ１４８ａと、前記基準データベースのジャンルフォルダ１６２に記録されている得点フォルダ１６４の得点データ１６４ａを比較する。
（データ選別手段）
前記比較の結果、基準データ１６４ａを超えた得点データ１４８ａを含むアーティストフォルダ１４２を選別して、得点データ出力手段１１２へ選別したアーティストフォルダ１４２のみを伝送する。
以上により、選別されたアーティストフォルダ１４２を受け取った音楽製作者３１０は、その中で最も多くの接続があった、楽曲を選びシングルカットして、シングルＣＤを製作することができる。
【００３３】
【発明の効果】
以上のように、本発明に係るコンピレーションアルバムを収録した記録媒体によれば、一枚の記録媒体に未だメジャーデビューしていない無名音楽アーティスト８人分又は１６人分の楽曲を収録するので、無名音楽アーティストにとっては、コンピレーションアルバムとしてＣＤデビューできる可能性が８倍又は１６倍になるという効果がある。
また、音楽製作者は、一度に８人又は１６人の無名音楽アーティストの楽曲を一枚の記録媒体に収録し、コンピレーションアルバムとして製作及び販売するので、従来と略同額の費用で、無名音楽アーティストをヒットさせる可能性が８倍又は１６倍になり、多額の費用を費やして、製作するリスクが減り、製作費用の回収が容易になるという効果がある。
また、記録媒体には、ブラウザ上にメインページへのリンクと、さらにその下層に位置するページへのリンクが同一画面上に表示されるように構成されたリンク情報のデータが記録されているので、視聴者であるユーザは、直接、自分の欲しい情報があるページへリンクすることがき、メインページに行くという煩わしさがなく、様々な情報を得ることができるという効果がある。
また、記録媒体には、音楽データ及び／又は映像データを含んだ楽曲データが記録されているので、ユーザは、リアルで迫力ある映像を見ながら楽曲を聴いたり、他の情報を見ることができるので、購買意欲が湧くという効果がある。
また、本発明に係るコンピレーションアルバムの利用方法及び利用システムによれば、ユーザが購入したコンピレーションアルバムを、ユーザ側端末に入れて、インターネット等の電気通信回線を通して接続できる音楽製作者が運営するサーバに接続し、そのサーバが提供するページ上で情報を見たり、楽曲データ等をダウンロードすることによって、そのコンピレーションアルバムに収録されている無名音楽アーティストの評価が得点データとして表され、その中で、従来のヒット楽曲が収録されているアルバム等の情報が掲載されているインターネット上のホームページへの接続数又は一定期間内の販売枚数等のデータと比較して、そのデータに対して、ある一定以上の値になった、得点データを有する楽曲又は音楽アーティストのデータのみを音楽製作者が得ることができ、その得点データから、音楽製作者は一定の販売枚数が期待できる楽曲のみをシングルカットして、シングルＣＤとして販売することができるという効果がある。
また、ユーザは、サーバに接続するためには、自己が正規に購入したコンピレーションアルバムを使用しないと、そのコンピレーションアルバムに記録されているユーザ認識キーと、サーバに登録されているユーザ登録キーが合致しないので、楽曲や無名音楽アーティストの評価を操作するような、他人の不正な接続を排除できるという効果がある。
また、ホストコンピュータによって、各リンクにはそれぞれ重みが割当てられて得点化されているので、ユーザは自己の意識にかかわらず、各リンクを使用することで、自動的にホストコンピュータに得点データが蓄積されるので、音楽製作者は作為の無いユーザの正確な評価を得ることができるという効果がある。
【図面の簡単な説明】
【図１】本発明のコンピレーションアルバムの利用方法のフローチャートである。
【図２】本発明のコンピレーションアルバムの利用方法のリンク提供ステップのフローチャートである。
【図３】本発明のコンピレーションアルバムの利用方法の得点データ蓄積ステップのフローチャートである。
【図４】本発明のコンピレーションアルバムの利用方法の得点データ蓄積ステップのフローチャートである。
【図５】本発明のコンピレーションアルバムの利用システムの全体構想図である。
【図６】本発明のコンピレーションアルバムの利用システムのサーバ構成図である。
【図７】本発明のコンピレーションアルバムの利用システムの受信手段である。
【図８】本発明のコンピレーションアルバムの利用システムのブロック図である。
【図９】本発明のコンピレーションアルバムの利用システムのブロック図である。
【図１０】本発明のコンピレーションアルバムの利用システムのブロック図である。
【符号の説明】
１０　サーバ
１００　ホストコンピュータ
２００　ユーザ側端末
２１０　ユーザ
２２０　検索要求
３００　音楽製作者側端末
３１０　音楽製作者
４００　電気通信回線
【図１】
2004117407.tif 000003
【図２】
2004117407.tif 000004
【図３】
2004117407.tif 000005
【図４】
2004117407.tif 000006
【図５】
2004117407.tif 000007
【図６】
2004117407.tif 000008
【図７】
2004117407.tif 000009
【図８】
2004117407.tif 000010
【図９】
2004117407.tif 000011
【図１０】
2004117407.tif 000012